(57)【特許請求の範囲】
【請求項１】
１枚以上の用紙からなる押印すべき書類を複数収容する押印用書類入れであって、
押印面を露出させた状態で一書類を収容する収容部と、
複数の収容部を重ねた収容状態と書類の押印面が露出する押印状態とに切り替え可能に該複数の収容部を連結する連結部と、
を備え、
該収容部は、
収容する複数の書類を隔てる仕切り板と、
該仕切り板の外周部に配設されて収容された書類を該仕切り板に留める留め部材と、
を有し、
該留め部材は、該仕切り板の両面の外周部に設けられ、該仕切り板の一方の面に設けられた留め部材は該連結部に近接する外周部に設けられ、該仕切り板の他方の面に設けられた該留め部材は該連結部から離れた位置の外周部に設けられ、該収容状態においては、該一方の面に設けられた留め部材と該他方の面に設けられた該留め部材とが重ならない位置にある押印用書類入れ。
【発明の詳細な説明】
【技術分野】
【０００１】
本発明は、押印すべき書類を複数収容する押印用書類入れに関する。
【背景技術】
【０００２】
一般に、企業や個人間で契約を結ぶ場合には、紙による契約書が作成され代表者によって代表者印が押印される。また、企業内においても、種々の稟議、請求や提案等に関する承認を執り行う上で、紙の書類が多用されており、決裁権を有する主管者がこれらの書類に押印する。
【０００３】
主管者に届けられた押印すべき書類は、押印されるまで一時的に例えば机上に積み重ねられたり、例えば特許文献１で開示されるような書類整理箱などに収容されたりする。
【先行技術文献】
【特許文献】
【０００４】
【特許文献１】実開平０３-０５１４７１号公報
【発明の概要】
【発明が解決しようとする課題】
【０００５】
ところが、複数の管轄を主管する主管者であれば、日々押印すべき書類も膨大な数となり、積み重ねられた書類の束や書類整理箱から各書類を手に取り目を通して押印するのにも非常に時間がかかる。また、複数の書類を積み重ねて保管すると、積み重ねた書類の山が崩れて順番がばらばらになってしまったり、あるいは一部が紛失してしまいかねない。その上、持ち運びにも不都合である。
【０００６】
本発明は上記事実に鑑みてなされたもので、その目的は、押印すべき複数の書類をコンパクトに収容するとともに複数の書類への押印を容易にする押印用書類入れを提供することにある。
【課題を解決するための手段】
【０００７】
本発明は、１枚以上の用紙からなる押印すべき書類を複数収容する押印用書類入れに関し、押印面を露出させた状態で一書類を収容する収容部と、複数の収容部を重ねた収容状態と書類の押印面が露出する押印状態とに切り替え可能に複数の収容部を連結する連結部とを備え、収容部は、収容する複数の書類を隔てる仕切り板と、仕切り板の外周部に配設されて収容された書類を仕切り板に留める留め部材とを有し、留め部材は、仕切り板の両面の外周部に設けられ、仕切り板の一方の面に設けられた留め部材は連結部に近接する外周部に設けられ、仕切り板の他方の面に設けられた留め部材は連結部から離れた位置の外周部に設けられ、収容状態においては、一方の面に設けられた留め部材と他方の面に設けられた留め部材とが重ならない位置にある。
【発明の効果】
【０００８】
本発明に係る押印用書類入れは、１の書類をそれぞれ収容する収容部を複数備え、収容部においては、各書類が留め部材によって仕切り板に留められるため、複数の書類がばらばらになることなくコンパクトに収容することができ、持ち運びも可能となる。また、押印状態と収容状態とに切り替え可能であるため、押印状態とすることで、複数の用紙からなる書類でも書類を収容した状態で書類の記載内容を確認することができ、書類に対する押印を容易に行うことができる。さらに、書類発行者と押印者との間でのやり取りのための通い箱のように使用することができ、書類管理が容易になる。
【図面の簡単な説明】
【０００９】
【図１】押印用書類入れの第一の例を示す斜視図である。
【図２】同押印用書類入れを構成する収容部の一例を示す斜視図である。
【図３】同押印用書類入れの側面図である。
【図４】同押印用書類入れの収容状態を示す平面図である。
【図５】同押印用書類入れの押印状態を示す平面図である。
【図６】袋とじされた書類の一例を示す斜視図である。
【図７】袋とじされた書類を収容した同押印用書類入れの押印状態を示す平面図である。
【図８】押印用書類入れの第二の例を示す斜視図である。
【図９】同押印用書類入れを構成する収容部の一例を示す斜視図である。
【図１０】同押印用書類入れの側面図である。
【図１１】同押印用書類入れの収容状態を示す平面図である。
【図１２】同押印用書類入れの押印状態を示す平面図である。
【図１３】留め部材の別の例を示す平面図である。
【図１４】留め部材の別の例及び留め補助部材の例を示す平面図である。
【発明を実施するための形態】
【００１０】
（１）第一の実施形態
図１に示す押印用書類入れ１は、押印すべき書類を複数収容することができる書類入れであり、一書類を収容する収容部２と、複数の収容部２を連結する連結部３とを備えている。連結部３における連結の仕方としては、テープ留め、ハトメ留めなどがあり、また、収容部２を連結部３によって一体成形することにより連結することもできる。
【００１１】
押印用書類入れ１に収容することができる書類には、用紙1枚のみからなる書類と、２枚以上の用紙からなり用紙の一部が綴じられた書類とがある。押印すべき書類としては、契約書、稟議書、請求書、各種提案書などがある。
【００１２】
図２及び図３に示すように、押印用書類入れ１を構成する各収容部２は、平板状に形成された複数の仕切り板４を有しており、仕切り板４の両面がそれぞれ収容部２となっている。仕切り板４の両面には、各収容部２に対応してそれぞれ留め部材５を備えており、仕切り板４に支持されて収容部２に収容された書類を留め部材５によって留めることができる構成となっている。
【００１３】
仕切り板４としては、例えばポリエチレンテレフタレート等からなるプラスチック板、プラスチックシートなどが使用される。また、留め部材５としては、例えば、クリップ、マグネット、板ばねなどの仕切り板４に付けられた部材を使用することができ、また、仕切り板４の一部に切り込みを形成して留め部材５とすることもできる。なお、表紙６及び裏表紙７の一方の面（閉じた状態で露出する面）には留め部材５は設けられていない。
【００１４】
図２及び図３に示すように、留め部材５は、仕切り板４の両面の外周部に設けられており、両面に設けられた留め部材５は、一方の面においては連結部３に近接する外周部に設けられ、他方の面においては連結部３から離れた位置の外周部に設けられている。
【００１５】
図４に示すように、押印用書類入れ１は、収容部２を重ねた状態では、複数の書類を収容した収容状態となる。図５に示すように、収容部２に収容されるそれぞれの書類８ａ、８ｂは、押印箇所８１ａ、８１ｂを含む押印面８０ａ、８０ｂをそれぞれ有しており、書類８ａ、８ｂの端部が留め部材５によって固定され、押印箇所８１ａ、８１ｂを含む押印面８０ａ、８０ｂが露出した状態で収容部２に収容される。留め部材５が書類８ａ、
８ｂを留める位置は、押印箇所８１ａ、８１ｂに重ならない位置である。
【００１６】
図５に示すように、各書類の押印面８０ａ、８０ｂが露出した状態を押印状態という。一方、表紙６及び裏表紙７を閉じて収容部２を重ねれば、図４に示した収容状態となる。すなわち、連結部３は、収容状態と押印状態とを切り替え可能に複数の収容部２を連結しており、収容状態と押印状態とを容易に切り替えることが可能である。また、収容状態とすることで、コンパクトに収容できるとともに、持ち運びも可能となる。
【００１７】
図５に示すように、押印状態では、押印箇所８１ａ、８１ｂが露出しているため、書類８ａ、８ｂを収容部２から取り出すことなく、押印箇所８０ｂ、８１ｂに押印することができる。また、押印すべき書類が複数ある場合においても、複数の書類は、仕切り板４によって隔てられた状態で収容されるため、書類ごとにその記載内容を確認して押印することができる。
【００１８】
収容部２に収容すべき書類が複数の用紙からなる場合もある。例えば、図６に示す袋とじ書類８のように、表紙８２と用紙８３と裏表紙８４とが袋とじ部８５によって綴じられて構成されている場合は、図７に示すように、袋とじ部８５が留め部材５によって仕切り板４に留められるように留め部材５の位置を設定することにより、袋とじ書類８を、押印面を露出させるとともにページめくり可能な状態で収容することができる。
【００１９】
（２）第二の実施形態
図８に示す押印用書類入れ１０は、複数の収容部１２と、隣り合う収容部１２の両端同士を屈曲可能に連結する連結部１３とを備えており、一書類を収容する収容部１２が連結部１３によってジャバラ状に複数連結されて構成され、全体として複数の書類を収容可能となっているとともに伸縮自在となっている。また、両端は表紙１６及び裏表紙１７となっている。押印用書類入れ１０に収容することができる書類には、用紙1枚のみからなる書類と、２枚以上の用紙からなり用紙の一部が綴じられた書類とがある。
【００２０】
図９及び図１０に示すように、押印用書類入れ１０を構成する各収容部１２は、平板状に形成された複数の仕切り板１４を有しており、仕切り板１４の片面が収容部１２となっている。収容部１２には、それぞれ留め部材１５を備えており、仕切り板１４に支持され収容部１２に収容された書類を留め部材１５によって留めることができる構成となっている。表紙１６および裏表紙１７の一方の面（閉じた状態で露出する面）には留め部材１５を備えていない。
【００２１】
仕切り板１４としては、例えばプラスチック板、プラスチックシートなどが使用される。また、留め部材１５としては、例えば、クリップ、マグネット、板ばねなどの仕切り板１４に付けられた部材を使用することができ、また、仕切り板１４の一部に切り込みを形成して留め部材１５とすることもできる。
【００２２】
図１０及び図１１に示すように、裏表紙１７の一方の面にはストラップ１７０が固着されており、表紙１６の一方の面にはストラップ１７０を留めるための留め具１６０が設けられている。図１１に示すように、ストラップ１７０を留め具１６０に通して留めると、収容部１２を重ねて複数の書類を収容した収容状態となる。
【００２３】
一方、図１２に示すように、連結部１３を屈曲させずに隣り合う収容部１２がほぼ平面状になるようにのばすと、各収容部１２に収容された書類を連続的に視認することができる。そして、各収容部１２に収容された書類９ａ、９ｂ、・・・・、９ｍ、９ｎは、押印すべき箇所を含む押印面９０ａ、９０ｂ、・・・・９０ｍ、９０ｎを有しており、各書類の端部の一部が留め部材１５によって固定され、押印箇所を有する押印面９０ａ、９０ｂ、・・・・、９０ｍ、９０ｎが露出した状態で収容部１２に収容された押印状態となっている。このように、連結部１３をのばすだけで、収容状態から押印状態に切り替えることができ、連結部１３を折り曲げるだけで押印状態から収容状態に切り替えることができる。そして、収容状態では複数の書類をコンパクトに収容できるとともに、持ち運びも可能となる。一方、押印状態では複数の書類の押印面９０ａ、９０ｂ、・・・・が連続して露出した状態となっているため、各書類を各収容部１２から取り出すことなく、露出した押印面９０ａ、９０ｂ、・・・・の押印すべき箇所に次々と連続して押印していくことができる。また、押印すべき複数の書類は、それぞれの収容部１２に収容されているため、書類ごとにその記載内容を確認して押印することができる。
【００２４】
図６に示した袋とじ書類８のように、表紙８２と用紙８３と裏表紙８４とが袋とじ部８５によって綴じられて構成される書類を押印用書類入れ１０の収容部１２に収容する場合は、図７と同様に、袋とじ部８５が留め部材１５によって仕切り板４に留められるように留め部材１５の位置を設定することにより、押印面を露出させるとともにページめくり可能な状態で袋とじ書類８を収容することができる。
【００２５】
なお、第一の実施形態及び第二の実施形態に示した留め部材５、１５としては、図１３に示すように、板バネを使用することができる。
【００２６】
また、図１４に示すように、１枚の用紙のみからなる書類１１や、上部（短辺）で綴じられている複数の用紙からなる書類（図示せず）を収容する場合は、短辺側に留め部材５１６を設けることもできる。短辺で綴じられている複数の用紙からなる書類については、短辺側に留め部材１６を設けることで、収容した書類のページをめくることができる。
【００２７】
留め部材１６とは別に、留め部材１６に対して対向する短辺側に、留め補助部材１７を設けてもよい。留め補助部材１７を設けた場合は、書類を安定的に保持することができ、特に、１枚のみからなる書類のようにページめくりの必要がない書類を収容する場合には効果的である。
【符号の説明】
【００２８】
１：押印用書類入れ
２：収容部  ３：連結部  ４：仕切り板  ５：留め部材
６：表紙  ７：裏表紙
８ａ、８ｂ：書類  ８０ａ、８０ｂ：押印面  ８１ａ、８１ｂ：押印箇所
８：袋とじ書類  ８２：表紙  ８３：用紙  ８４：裏表紙  ８５：袋とじ部
１０：押印用書類入れ
１２：収容部  １３：連結部  １４：仕切り板  １５：留め部材
１６：表紙  １６０：留め具
１７：裏表紙  １７０：ストラップ
９ａ、９ｂ、・・・：書類  ９０ａ、９０ｂ、・・・:押印面
１１：書類
１５、１６：留め部材  １７：留め補助部材
【図１】
0005711924.tif 000002
【図２】
0005711924.tif 000003
【図３】
0005711924.tif 000004
【図４】
0005711924.tif 000005
【図５】
0005711924.tif 000006
【図６】
0005711924.tif 000007
【図７】
0005711924.tif 000008
【図８】
0005711924.tif 000009
【図９】
0005711924.tif 000010
【図１０】
0005711924.tif 000011
【図１１】
0005711924.tif 000012
【図１２】
0005711924.tif 000013
【図１３】
0005711924.tif 000014
【図１４】
0005711924.tif 000015